(57)【要約】【課題】本発明は、板ばねによる光の遮断を防止することができる走査光学系レンズの取付構造を提供することを課題とする。【解決手段】第１走査レンズ３０は、円弧状に突出する長尺状の凸面部３１ａと、凸面部３１ａとは反対側に位置してフレーム４０に接触する第２背面部３２ｂと、凸面部３１ａの両端において平面状に形成される凸面側平面部３２ａと、凸面部３１ａ、第２背面部３２ｂおよび凸面側平面部３２ａを繋ぐ上面部３１ｃおよび下面部３１ｄとを備える。また、板ばね５０は、第１走査レンズ３０の第２背面部３２ｂ側から凸面側平面部３２ａ側に延びる第１延在部５１と、第１延在部５１の他端部から下側へ延びる第２延在部５２と、第２延在部５２から凸面部３１ａの長手方向外側へ延びた後、反対側に屈曲して凸面側平面部３２ａと接触する第３延在部５３とを備える。【選択図】図３
2008185724.tif 000002
【特許請求の範囲】
【請求項１】
板ばねを用いて走査光学系レンズをフレームに取り付ける走査光学系レンズの取付構造であって、
前記走査光学系レンズは、
円弧状に突出する長尺状の凸面部と、
前記凸面部とは反対側に位置し、少なくとも両端部が前記フレームに接触する背面部と、
前記凸面部の両端において平面状に形成される凸面側平面部と、
前記凸面部、前記背面部および前記凸面側平面部を繋ぐ一対の平面部とを備え、
前記板ばねは、
前記フレームに一端部が固定され、他端部が前記一対の平面部の一方と対向しつつ前記走査光学系レンズの背面部側から前記凸面部側に延びる第１延在部と、
前記第１延在部の他端部から前記一対の平面部の他方側へ向けて延びる第２延在部と、
前記第２延在部から前記凸面部の長手方向外側へ延びた後、反対側に屈曲して前記凸面側平面部と接触する第３延在部とを備えたことを特徴とする走査光学系レンズの取付構造。
【請求項２】
前記第３延在部が、円弧状に湾曲していることを特徴とする請求項１に記載の走査光学系レンズの取付構造。
【請求項３】
前記第１延在部に、前記走査光学系レンズの一対の平面部の一方を押圧する第４延在部を設けたことを特徴とする請求項１または請求項２に記載の走査光学系レンズの取付構造。
【請求項４】
前記第３延在部の先端が、先細に形成されて、前記凸面側平面部と接触することを特徴とする請求項１〜請求項３のいずれか１項に記載の走査光学系レンズの取付構造。
【発明の詳細な説明】
【技術分野】
【０００１】
本発明は、板ばねを用いて走査光学系レンズをフレームに取り付ける走査光学系レンズの取付構造に関する。
【背景技術】
【０００２】
一般に、画像形成装置として、帯電された感光ドラムに光走査装置から光ビームを照射して、光ビームで照射された部分の電位を変えて感光ドラム上に静電潜像を形成し、その静電潜像に現像剤を供給することにより形成される現像剤像を用紙に転写することで、用紙に所定の画像を形成するものが知られている。
【０００３】
このような画像形成装置に設けられる光走査装置においては、通常、円弧状に突出した長尺状の凸面部を有する走査光学系レンズ（以下、「レンズ」という。）が設けられている。そして、このようなレンズの取付構造としては、従来、特許文献１に開示されるような構造が知られている。具体的に、特許文献１に開示された取付構造は、レンズの凸面部の両端側をフレームに形成した円柱状の突起に当接させるとともに、凸面部とは反対側の平面状の背面を板ばねで押圧することで、レンズをフレームに固定させる構造となっている。
【０００４】
【特許文献１】特開平７−１６８１１０号公報
【発明の開示】
【発明が解決しようとする課題】
【０００５】
ところで、フレームへの各種部品の配置等によっては、前記した技術における板ばねと突起の関係を逆に、すなわちレンズの凸面部を板ばねで押圧させたい場合がある。しかしながら、この場合には、レンズの背面から入射されて凸面部側へ抜ける光が、板ばねで遮られてしまう可能性があった。
【０００６】
そこで、本発明は、板ばねによる光の遮断を防止することができる走査光学系レンズの取付構造を提供することを課題とする。
【課題を解決するための手段】
【０００７】
前記課題を解決する本発明は、板ばねを用いて走査光学系レンズをフレームに取り付ける走査光学系レンズの取付構造であって、前記走査光学系レンズは、円弧状に突出する長尺状の凸面部と、前記凸面部とは反対側に位置し、少なくとも両端部が前記フレームに接触する背面部と、前記凸面部の両端において平面状に形成される凸面側平面部と、前記凸面部、前記背面部および前記凸面側平面部を繋ぐ一対の平面部とを備え、前記板ばねは、前記フレームに一端部が固定され、他端部が前記一対の平面部の一方と対向しつつ前記走査光学系レンズの背面部側から前記凸面部側に延びる第１延在部と、前記第１延在部の他端部から前記一対の平面部の他方側へ向けて延びる第２延在部と、前記第２延在部から前記凸面部の長手方向外側へ延びた後、反対側に屈曲して前記凸面側平面部と接触する第３延在部とを備えたことを特徴とする。
【０００８】
本発明によれば、走査光学系レンズを支持する第３延在部が、凸面部の長手方向外側へ延びた後、反対側に屈曲するので、凸面部から出射される光が第３延在部で遮断されることはない。
【発明の効果】
【０００９】
本発明によれば、第２延在部から凸面部の長手方向外側へ延びた後、反対側に屈曲する第３延在部を設けることで、凸面部から出射される光と第３延在部との干渉を防止できるので、板ばねによる光の遮断を防止することができる。また、凸面部と第２延在部との干渉を防止できる。
【発明を実施するための最良の形態】
【００１０】
次に、本発明の実施形態について、適宜図面を参照しながら詳細に説明する。参照する図面において、図１は本発明の一実施形態に係る光走査装置を示す斜視図であり、図２は光走査装置の各構成部品と光のルートを示す概略図である。最初に、図１および図２を参照して光走査装置１の全体構造について簡単に説明する。
【００１１】
［光走査装置１］
図１に示すように、光走査装置１は、光源ユニット１０と、第１ミラーＭ１と、振動ミラーユニット２０と、走査光学系レンズとしての第１走査レンズ３０と、第２走査レンズＬと、第２ミラーＭ２と、これらを支持するフレーム４０と、フレーム４０の下側に配設される第３ミラーＭ３（図２参照）とを主に備えて構成されている。
【００１２】
［光源ユニット１０］
図２に示すように、光源ユニット１０は、レーザダイオード１１と、カップリングレンズ１２と、絞り部材１３と、シリンドリカルレンズ１４とを備えて構成されている。そして、レーザダイオード１１から出射されたレーザビームは、カップリングレンズ１２、絞り部材１３およびシリンドリカルレンズ１４を通った後、第１ミラーＭ１で反射され、振動ミラーユニット２０に向かって照射される。
【００１３】
［振動ミラーユニット２０］
振動ミラーユニット２０は、その内部に、所定範囲で回転振動することで、第１ミラーＭ１側から出射されてくる光の反射方向を変化させて走査を行う振動ミラー２１を備えて構成されている。そして、この振動ミラー２１で反射された光は、第１走査レンズ３０および第２走査レンズＬを通った後、第２ミラーＭ２および第３ミラーＭ３で反射されて、光走査装置１外へ出射される。なお、光走査装置１外へ出射された光は、複写機やレーザプリンタ等の画像形成装置内の感光体（感光ドラム等）に投射されることで、感光体上の静電潜像の形成に寄与する。
【００１４】
次に、第１走査レンズ３０の取付構造の詳細について説明する。参照する図面において、図３は第１走査レンズの取付構造を示す分解斜視図であり、図４は板ばねを示す拡大斜視図である。
【００１５】
図１に示すように、第１走査レンズ３０は、２つの板ばね５０を用いてフレーム４０に取り付けられている。
【００１６】
［第１走査レンズ３０］
図３に示すように、第１走査レンズ３０は、円弧状に形成されるレンズ部３１と、レンズ部３１の両端に一体に形成される被取付部３２とを備えて構成されている。
【００１７】
そして、このように第１走査レンズ３０が形成されることで、第１走査レンズ３０の光の出射側には、第２走査レンズＬ側へ向けて円弧状に突出する長尺状の曲面である凸面部３１ａと、凸面部３１ａの両端において平面状に形成される凸面側平面部３２ａとが形成される。なお、各凸面側平面部３２ａは、同一平面内（面一）となるように形成される。
【００１８】
また、第１走査レンズ３０の光の入射側には、凸面部３１ａに平行な曲面となる第１背面部３１ｂと、各凸面側平面部３２ａに沿った平面となる第２背面部３２ｂとが形成される。なお、各第２背面部３２ｂは、同一平面内（面一）となるように形成される。
【００１９】
さらに、第１走査レンズ３０の上側には、凸面部３１ａ、凸面側平面部３２ａ、第１背面部３１ｂおよび第２背面部３２ｂの上縁を繋ぐ上面部３１ｃが形成される。また、第１走査レンズ３０の下側には、凸面部３１ａ、凸面側平面部３２ａ、第１背面部３１ｂおよび第２背面部３２ｂの下縁を繋ぐ下面部３１ｄが形成される。
【００２０】
［板ばね５０］
図４に示すように、板ばね５０は、第１延在部５１、第２延在部５２、第３延在部５３およびフレーム取付部５４を備えて構成されている。
【００２１】
第１延在部５１は、その一端部５１ａがフレーム取付部５４を介してフレーム４０に固定され、その他端部５１ｂが第１走査レンズ３０の上面部３１ｃと対向しつつ第１走査レンズ３０の第２背面部３２ｂから凸面側平面部３２ａ側まで延びるように形成されている。また、第１延在部５１は、各端部５１ａ，５１ｂよりも幅広となる本体部５１ｃを中央に有しており、この本体部５１ｃの中央部には、略矩形の長孔５１ｄが形成され、この長孔５１ｄの内縁の一部から長尺状の第４延在部５１ｅが形成されている。そして、この第４延在部５１ｅは、所定の角度まで下側へ折り曲げられるとともに、その先端に下側へ凸となる半球状の突起５１ｆが形成されている。そのため、この第４延在部５１ｅは、その突起５１ｆによって第１走査レンズ３０の上面部３１ｃを所定の押圧力で押圧するようになっている。
【００２２】
第２延在部５２は、第１延在部５１の他端部５１ｂから下側へ向けて延びるように形成されている。そして、この第２延在部５２のうち第１走査レンズ３０の長手方向外側の縁部５２ａには、第３延在部５３が一体に形成されている。ここで、第１延在部５１の本体部５１ｃよりも幅狭に形成される他端部５１ｂと同じ幅で第２延在部５２が形成されることで、第１走査レンズ３０から出射される光から十分離された（逃がされた）位置に第２延在部５２が位置するようになっている。
【００２３】
第３延在部５３は、第２延在部５２の縁部５２ａから第１走査レンズ３０の長手方向外側へ延びた後、反対側に屈曲することで、その先端５３ａが第１走査レンズ３０の凸面側平面部３２ａに接触するようになっている。具体的に、この第３延在部５３は、円弧状に湾曲しており、その先端５３ａが先細となるように形成されている。
【００２４】
フレーム取付部５４は、第１延在部５１の一端部５１ａから下側へ向けて延びるように形成されている。また、フレーム取付部５４の下側の適所には、上下方向へ延びる長孔５４ａが形成されており、この長孔５４ａがフレーム４０に形成される矩形の突起と嵌合することで、板ばね５０がフレーム５４に固定されている。さらに、フレーム取付部５４の下縁には、第１延在部５１とは反対側の斜め下方向へ屈曲形成される屈曲部５４ｂが形成されており、これにより、フレーム取付部５４が後述するフレーム４０の連結リブ４４（図３参照）に引っ掛かることが抑制されている。
【００２５】
［フレーム４０］
図３に示すように、フレーム４０のうち第１走査レンズ３０が取り付けられる部位には、第１走査レンズ３０の下面部３１ｄを支持する下面支持リブ４１と、第１走査レンズ３０の第２背面部３２ｂを支持する背面支持リブ４２とが形成されている。また、背面支持リブ４２の裏側（第１走査レンズ３０とは反対側）には、板ばね５０をガイドするための一対のガイドリブ４３が形成されている。なお、背面支持リブ４２とガイドリブ４３との間には、これらのリブ４２，４３を繋ぐ連結リブ４４が形成されている。
【００２６】
次に、第１走査レンズ３０のフレーム４０への取付方法について説明する。
図３に示すように、まず、フレーム４０の下面支持リブ４１上に、第１走査レンズ３０をセットする。このとき、下面支持リブ４１の凸部４１ａに対して、第１走査レンズ３０の下面部３１ｄに形成された凹部（図示せず）を合わせることで、第１走査レンズ３０の前後左右の簡単な位置決めを行う。
【００２７】
そして、板ばね５０の第３延在部５３の先端５３ａを第１走査レンズ３０の凸面側平面部３２ａに当てつつ、フレーム取付部５４を一対のガイドリブ４３内に挿入する。その後、所定位置まで板ばね５０を押し込んでから、フレーム取付部５４を連結リブ４４に固定することで、第１走査レンズ３０が板ばね５０の第３延在部５３と第４延在部５１ｅとによって良好にフレーム４０へ押圧されて固定される。
【００２８】
以上によれば、本実施形態において以下のような効果を得ることができる。
第３延在部５３を外側から凸面側平面部３２ａに向けて延ばして当てることで、第３延在部５３が凸面部３１ａ側に飛び出すことがないので、板ばね５０（第３延在部５３）による光の遮断を防止することができる。また、第３延在部５３を設けることで第１走査レンズ３０の凸面部３１ａ側に位置する第２延在部５２の形状を光から逃げる形状とすることができるので、板ばね５０による光の遮断を防止することができる。
【００２９】
第１走査レンズ３０に対して横方向に力を加える第３延在部５３の他に、下方向に力を加える第４延在部５１ｅを設けたので、第１走査レンズ３０をより強固に固定することができる。
第３延在部５３の先端５３ａが先細に形成されて凸面側平面部３２ａと接触するので、例えば第４延在部５１ｅの突起５１ｆのような先端から離れた位置に形成される突起で押圧する構造に比べ、凸面側平面部３２ａを押さえている部分から凸面部３１ａ側へ部材が飛び出さず、小型化を図ることができる。
【００３０】
なお、本発明は前記実施形態に限定されることなく、以下に例示するように様々な形態で利用できる。
前記実施形態では、走査光学系レンズとして第１走査レンズ３０を採用したが、本発明はこれに限定されず、例えば第２走査レンズＬなどを採用してもよい。
【００３１】
前記実施形態では、第１走査レンズ３０の第１背面部３１ｂを曲面状に形成したが、本発明はこれに限定されず、平面状に形成して、第１走査レンズの背面を全面平らにしてもよい。
前記実施形態では、第３延在部５３を円弧状に湾曲した曲面状に形成したが、本発明はこれに限定されず、例えばＶの字状などに屈曲させてもよい。ただし、第３延在部５３を円弧状に湾曲させた方が、第１走査レンズ３０に対する押圧力を維持し易いので、円弧状に形成するのが望ましい。
【００３２】
前記実施形態では、第１走査レンズ３０を上から押圧する第４延在部５１ｅを設けたが、本発明はこれに限定されず、第４延在部５１ｅを設けなくてもよい。
前記実施形態では、第３延在部５３の先端を尖らせたが、本発明はこれに限定されず、その他の形状、例えば円弧状等としてもよい。
前記実施形態では、振動ミラーユニット２０を使用しているが、ポリゴンミラーを用いてもよい。
【図面の簡単な説明】
【００３３】
【図１】本発明の一実施形態に係る光走査装置を示す斜視図である。
【図２】光走査装置の各構成部品と光のルートを示す概略図である。
【図３】第１走査レンズの取付構造を示す分解斜視図である。
【図４】板ばねを示す拡大斜視図である。
【符号の説明】
【００３４】
１      光走査装置
３０    第１走査レンズ
３１    レンズ部
３１ａ  凸面部
３１ｂ  第１背面部
３１ｃ  上面部
３１ｄ  下面部
３２    被取付部
３２ａ  凸面側平面部
３２ｂ  第２背面部
４０    フレーム
５０    板ばね
５１    第１延在部
５１ａ  一端部
５１ｂ  他端部
５１ｃ  本体部
５１ｄ  長孔
５１ｅ  第４延在部
５１ｆ  突起
５２    第２延在部
５２ａ  縁部
５３    第３延在部
５３ａ  先端
５４    フレーム取付部
５４ａ  長孔
５４ｂ  屈曲部
【図１】
2008185724.tif 000003
【図２】
2008185724.tif 000004
【図３】
2008185724.tif 000005
【図４】
2008185724.tif 000006